(57)【特許請求の範囲】
【請求項１】
ケーシング（10）と、該ケーシング（10）内に設けられた室外熱交換器（20）と、ファンモータ（31）の回転軸（31a）にプロペラ（32）を取り付けることにより構成され且つ該室外熱交換器（20）への送風を行う室外ファン（30）と、一対の支柱（36a,36b）と該支柱（36a,36b）に設けられるとともに上記ファンモータ（31）が固定されるモータ取付部（37）とを有するファンモータ台（35）とを備え、
上記プロペラ（32）が複数枚のブレード（34）を備えた空気調和装置の室外ユニットであって、
上記一対の支柱（36a,36b）にまたがって配置された騒音減衰プレート（40）を備え、
該騒音減衰プレート（40）は、上記プロペラ（32）の回転時に上記ブレード（34）の内周縁と外周縁の間に形成される環状の領域の少なくとも一部に対向するとともに、上記ファンモータ（31）の中心から上記支柱（36a,36b）の延在方向端部側へ偏った位置に配置されていることを特徴とする空気調和装置の室外ユニット。
【請求項２】
請求項１において、
上記騒音減衰プレート（40）は、上記ブレード（34）の半径方向長さの少なくとも３割以上の長さ寸法を一辺の寸法とする矩形の板材により形成されていることを特徴とする空気調和装置の室外ユニット。
【請求項３】
請求項２において、
上記騒音減衰プレート（40）の上記一辺の寸法が矩形の短辺の寸法であり、
上記騒音減衰プレート（40）は、上記矩形の短辺が上記支柱（36a,36b）の長手方向線分に沿って配置されていることを特徴とする空気調和装置の室外ユニット。
【請求項４】
請求項１，２または３において、
上記騒音減衰プレート（40）は、上記モータ取付部（37）と一体に形成されていることを特徴とする空気調和装置の室外ユニット。
【請求項５】
請求項１から４の何れか１つにおいて、
上記騒音減衰プレート（40）には、複数の通風孔（41）が形成されていることを特徴とする空気調和装置の室外ユニット。
【請求項６】
請求項５において、
上記通風孔（41）は、上記プロペラ（32）の回転時に上記ブレード（34）の内周縁と外周縁の間に形成される上記環状の領域に形成されていることを特徴とする空気調和装置の室外ユニット。
【請求項７】
請求項１から６の何れか１つにおいて、
上記騒音減衰プレート（40）は、上記ファンモータ（31）に対して、上記支柱（36a,36b）の延在方向の両側または片側に設けられていることを特徴とする空気調和装置の室外ユニット。
【請求項８】
請求項１から７の何れか１つにおいて、
上記ファンモータ台（35）に複数の室外ファン（30）が設けられていることを特徴とする空気調和装置の室外ユニット。
【発明の詳細な説明】
【技術分野】
【０００１】
本発明は、空気調和装置の室外ユニットに関し、特に、室外ファンの回転時の騒音を低減する技術に関するものである。
【背景技術】
【０００２】
従来、空気調和装置の室外ユニットには、ケーシング内に室外熱交換器を設けるとともに、ケーシングの上下方向にのびる一対の支柱を有するファンモータ台を設け、このファンモータ台に室外ファンを固定したものがある（例えば、特許文献１参照）。室外ファンはファンモータを有し、このファンモータが、一対の支柱に設けられたモータ取付部に固定されている。室外ファンはファンモータの回転軸にプロペラが固定された構成であり、プロペラは複数枚のブレードを有している。上記ブレードは一対の支柱の外側に飛び出しており、回転時には、支柱と支柱の間の空間と、支柱の外側の空間を空気が流れるようになっている。
【先行技術文献】
【特許文献】
【０００３】
【特許文献１】特開２０１０−０６０２４２号公報
【発明の概要】
【発明が解決しようとする課題】
【０００４】
上記構成では、室外ファンによって形成される空気流通領域を２本の支柱が横切る構成になっている。そして、室外ファンの回転時にはブレードが支柱を横切って通過するため、空気の流れが乱れることになり、その結果、騒音が発生する。
【０００５】
これに対して、特許文献１の室外ユニットでは、支柱の上流側の面と下流側の面に整流部材を設けて空気の流れを整えるようにしており、それによって上記騒音を抑えるようにしている。この整流部材は、支柱とほぼ同じ長さの細長い部材であり、その断面形状は、空気の流れ方向に沿って先細りの三角形や流線形になっている。
【０００６】
しかし、上記構成は、支柱に当たる風を整流することで騒音低減を図るものであり、室外ファンの回転に起因する圧力変動によって生じる音（いわゆるNZ音）を抑制することができない。この圧力変動は、室外ファンのブレードがファンモータ台に近接することで生じているものと考えられる。なお、NZ音とは、ファンの単位時間あたりの回転数（N）に羽根の枚数（Z）を乗じたものである。
【０００７】
本発明は、このような問題点に鑑みてなされたものであり、その目的は、室外ファンの回転時の騒音、特にNZ音を抑えることである。
【課題を解決するための手段】
【０００８】
第１の発明は、ケーシング（10）と、該ケーシング（10）内に設けられた室外熱交換器（20）と、ファンモータ（31）の回転軸（31a）にプロペラ（32）を取り付けることにより構成され且つ該室外熱交換器（20）への送風を行う室外ファン（30）と、一対の支柱（36a,36b）と該支柱（36a,36b）に設けられるとともに上記ファンモータ（31）が固定されるモータ取付部（37）とを有するファンモータ台（35）とを備え、上記プロペラ（32）が複数枚のブレード（34）を備えた空気調和装置の室外ユニットを前提としている。
【０００９】
そして、この室外ユニットは、上記一対の支柱（36a,36b）にまたがって配置された騒音減衰プレート（40）を備え、該騒音減衰プレート（40）が、
上記プロペラ（32）の回転時に上記ブレード（34）の内周縁と外周縁の間に形成される環状の領域の少なくとも一部に対向するとともに、上記ファンモータ（31）の中心から上記支柱（36a,36b）の延在方向端部側へ偏った位置に配置されていることを特徴としている。
【００１０】
この第１の発明では、騒音減衰プレート（40）が支柱（36a）と支柱（36b）の間にまたがって配置されているので、騒音減衰プレート（40）が風をガイドすることによって空気が円滑に導かれる。よって、室外ファン（30）のブレード（34）とファンモータ台（35）との間で圧力変動が生じにくくなり、騒音減衰プレート（40）を設けない場合よりも、室外ファン（30）の回転時の騒音、特にNZ音を抑えられる。
【００１１】
第２の発明は、第１の発明において、上記騒音減衰プレート（40）が、上記ブレード（34）の半径方向長さの少なくとも３割以上の長さ寸法を一辺の寸法とする矩形の板材により形成されていることを特徴としている。
【００１２】
この第２の発明では、騒音減衰プレート（40）を、ブレード（34）の半径方向長さの少なくとも３割以上の長さ寸法を一辺の寸法とする矩形の板材により形成しているので、空気が円滑に流れる作用が生じる領域（騒音減衰プレート（40）の面積に対応した領域）を確保できる。
【００１３】
第３の発明は、第２の発明において、上記騒音減衰プレート（40）の上記一辺の寸法が矩形の短辺の寸法であり、上記騒音減衰プレート（40）は、上記矩形の短辺が上記支柱（36a,36b）の長手方向線分に沿って配置されていることを特徴としている。
【００１４】
この第３の発明では、騒音減衰プレート（40）を、上記矩形の短辺が上記支柱（36a,36b）の長手方向線分に沿うように配置しているので、騒音減衰プレート（40）を、ブレード（34）の内周縁と外周縁の間に形成される環状の領域の内部に容易に配置できる。
【００１５】
第４の発明は、第１，第２または第３の発明において、上記騒音減衰プレート（40）が、上記モータ取付部（37）と一体に形成されていることを特徴としている。
【００１６】
この第４の発明では、モータ取付部（37）と一体に構成した騒音減衰プレート（40）を用いて、ファンの回転時に室外ファン（30）のブレード（34）とファンモータ台（35）との間の圧力変動を抑え、騒音を抑えられる。
【００１７】
第５の発明は、第１から第４の発明の何れか１つにおいて、上記騒音減衰プレート（40）には、複数の通風孔（41）が形成されていることを特徴としている。
【００１８】
この第５の発明では、騒音減衰プレート（40）に通風孔（41）を形成することにより、騒音減衰プレート（40）を設けた場合に通風面積が小さくなるのを抑えられる。
第６の発明は、第５の発明において、上記通風孔（41）が、上記プロペラ（32）の回転時に上記ブレード（34）の内周縁と外周縁の間に形成される上記環状の領域に形成されていることを特徴としている。
第７の発明は、第１から第６の発明の何れか１つにおいて、上記騒音減衰プレート（40）が、上記ファンモータ（31）に対して、上記支柱（36a,36b）の延在方向の両側または片側に設けられていることを特徴としている。
第８の発明は、第１から第７の発明の何れか１つにおいて、上記ファンモータ台（35）に複数の室外ファン（30）が設けられていることを特徴としている。
【発明の効果】
【００１９】
本発明によれば、騒音減衰プレート（40）が支柱（36a）と支柱（36b）の間にまたがって配置されているので、騒音減衰プレート（40）が風をガイドすることによって空気が円滑に流れて、室外ファン（30）のブレード（34）とファンモータ台（35）との間での圧力変動が生じにくくなり、騒音も小さくなる。また、本発明では、一対の支柱（36a,36b）にまたがる騒音減衰プレート（40）を、プロペラ（32）の回転時に上記ブレード（34）の内周縁と外周縁の間に形成される環状の領域の少なくとも一部に対向するように設けるだけで騒音を抑えることができるから、断面形状が三角形や流線形の整流部材を支柱（36a,36b）の全長にわたって設ける従来の構成に比べて、騒音を抑えるために必要な部材の材料が少なくて済み、コストを抑えられる効果も得ることができる。
【００２０】
上記第２の発明によれば、騒音減衰プレート（40）を、ブレード（34）の半径方向長さの少なくとも３割以上の長さ寸法を一辺の寸法とする矩形の板材により形成することにより、空気が円滑に流れる作用が生じる領域（騒音減衰プレート（40）の面積に対応した領域）を確保できるようにしている。上記長さ寸法が３割未満であれば騒音低減効果が小さくなるのに対して、本発明によれば、確実に騒音低減効果を得ることができる。
【００２１】
上記第３の発明によれば、騒音減衰プレート（40）を、上記矩形の短辺が上記支柱（36a,36b）の長手方向線分に沿うように配置したことにより、ブレード（34）の内周縁と外周縁の間に形成される環状の領域の内部に容易に配置できるから、設計の自由度を高められる。
【００２２】
上記第４の発明によれば、騒音減衰プレート（40）をモータ取付部（37）と一体の部品にすることにより、ファンの回転時に空気が円滑に流れる作用が生じる領域を確保して圧力変動を抑えることにより、騒音を抑える効果を簡単な構成で実現することができる。
【００２３】
上記第５の発明によれば、通風孔（41）を形成した騒音減衰プレート（40）を用いることにより、通風面積が小さくなるのを抑えるとともに騒音を確実に防止する構造を容易に実現できる。
【図面の簡単な説明】
【００２４】
【図１】図１は、本発明の実施形態に係る空気調和装置の室外ユニットの内部の概略の機器配置構造を示す正面図である。
【図２】図２は、図示の室外ユニットの内部の概略の機器配置構造を示す平面図である。
【図３】図３は、騒音減衰プレートの斜視図である。
【図４】図４は、騒音減衰プレートを設けない場合の８０Ｈｚの音の騒音レベルを示すグラフである。
【図５】図５は、騒音減衰プレートを設けた場合の８０Ｈｚの音の騒音レベルを示すグラフである。
【図６】図６は、モータ取付部の前面プレートと騒音減衰プレートとが一体になった一枚のプレート部材の表面側斜視図である。
【図７】図７は、図６のプレート部材の裏面側斜視図である。
【発明を実施するための形態】
【００２５】
以下、本発明の実施形態を図面に基づいて詳細に説明する。本実施形態は、セパレート型の空気調和装置の室外ユニットに関するものである。
【００２６】
図１は、この室外ユニット（1）の内部の概略の機器配置を示す正面図、図２は、室外ユニット（1）の内部の概略の機器配置を示す平面図である。この室外ユニット（1）は、図１，２では仮想線で示した縦長のケーシング（10）の内部に、室外熱交換器（20）及び室外ファン（30）や、圧縮機（51）、レシーバ（52）、及び閉鎖弁（ガス側閉鎖弁（53）及び液側閉鎖弁（54））などの冷媒回路機器が収納されたものである。また、図２に示すように、ケーシング（10）の背面側には吸込口（11）が、前面側には吹出口（12）が設けられている。
【００２７】
室外熱交換器（20）は、詳細構造は示していないがプレートフィンコイル型の空気熱交換器であり、ケーシング（10）に固定されている。該室外熱交換器（20）は、平面から視た形状がＬ字形に形成されている。この室外熱交換器（20）は、左側面部分（21）がケーシング（10）の左側板（13）に沿うとともに、背面部分（22）がケーシング（10）の背板（14）に沿うように形成されている。
【００２８】
上記室外熱交換器（20）の右側の端部には、図２に示すように、該室外熱交換器（20）の構造部材として、溝形部材により形成された管板（23）が固定されている。この管板（23）は鉛直上下方向に延在し、ケーシング（10）の背板（14）に接して配置されている。
【００２９】
ケーシング（10）には、仕切板（15）が固定されている。この仕切板（15）は、前端がケーシング（10）の前板に連結され、後端が上記管板（23）に固定されている。仕切板（15）の前端には、該前端をケーシング（10）の前板に取り付けるため、仕切板（15）の前端部分を折り曲げて形成した帯状の前端側取付部（15a）が設けられている。また、仕切板（15）の後端には、該後端を熱交換器の管板（23）に取り付けるため、同様に帯状の後端側取付部（15b）が設けられている。前端側取付部（15a）及び後端側取付部（15b）は、それぞれ、ケーシング（10）の前板及び管板（23）に対してビス等の締結部材で取り付けられる。
【００３０】
上記ケーシング（10）の内部は、上記仕切板（15）を隔てて隣り合う大小２つの空間に区画されている。上記室外熱交換器（20）と室外ファン（30）は、図２において仕切板（15）の左側に形成された大きい方の空間に設置され、この空間が、室外熱交換器（20）の伝熱管内を流れる冷媒と室外空気とが熱交換をする熱交換スペース（ファン室）（S1）となっている。上記吸込口（11）と吹出口（12）は、この熱交換スペース（S1）がケーシング（10）の外部の空間と連通するように該ケーシング（10）に形成されている。また、上記圧縮機（51）、レシーバ（52）及び閉鎖弁（53,54）などの機器と、これらに接続されている冷媒配管等は、仕切板（15）の右側に形成された小さい方の空間に配設されており、この空間が機械室（S2）になっている。
【００３１】
上記圧縮機（51）やレシーバ（52）や閉鎖弁は、図示していない固定部材を用いて、ケーシング（10）の機械室（S2）の内部に固定されている。ガス側閉鎖弁（53）と液側閉鎖弁（54）は室内ユニット（図示せず）からの連絡配管を接続するための弁であり、機械室（S2）の前面側に配置されている。また、機械室（S2）の内部には、冷媒配管の経路中に接続された四路切換弁や電動膨張弁などの弁が配置されている。
【００３２】
上記室外ファン（30）は、上記熱交換スペース（S1）内に２台が上下に並べて配置されている。各室外ファン（30）は、ファンモータ台（35）に固定されたファンモータ（31）と、ファンモータ（31）の回転軸（31a）に固定されたプロペラ（32）とから構成され、室外熱交換器（20）への送風を行うようになっている。上記プロペラ（32）は、上記ファンモータ（31）の回転軸（31a）に固定されるハブ（33）と、該ハブ（33）に支持された複数枚のブレード（34）とを備えている。
【００３３】
ファンモータ台（35）は、室外熱交換器（20）の前面側の中央部に配置されている。このファンモータ台（35）は、室外ファン（30）を支持するための構造部材として、ケーシング（10）の上下方向にのびる一対の支柱（36a,36b）と、支柱（36a,36b）に設けられるとともにファンモータ（31）が固定されるモータ取付部（37）とから構成されている。モータ取付部（37）は前面プレート（37a）を有している。
【００３４】
本実施形態では、モータ取付部（37）の前面プレート（37a）の下方の位置で上記一対の支柱（36a,36b）にまたがる騒音減衰プレート（40）が設けられている。この騒音減衰プレート（40）は、上記プロペラ（32）の回転時に上記ブレード（34）の内周縁と外周縁の間に形成される環状の領域の少なくとも一部に対向するように配置されている。また、上記騒音減衰プレート（40）は、２台の室外ファン（30）のそれぞれ対して１枚ずつ設けられている。
【００３５】
上記騒音減衰プレート（40）は、上記ブレード（34）の半径方向長さ（（外周縁の直径Ｄ１−内周縁の直径Ｄ２）／２）の少なくとも３割以上の長さ寸法を一辺の寸法Ｌとする矩形の板材により形成されている。本実施形態では、図１に示すように、騒音減衰プレート（40）は、上記ブレード（34）の半径方向長さの５割から６割程度の長さ寸法を有する矩形の板材である。
【００３６】
上記騒音減衰プレート（40）の上記一辺の寸法Ｌは、矩形の短辺の寸法である。そして、上記騒音減衰プレート（40）は、上記矩形の短辺が上記支柱（36a,36b）の長手方向線分に沿うようにして配置されている。また、本実施形態では、図３にも示しているように、上記騒音減衰プレート（40）に複数の通風孔（41）が形成されている。
【００３７】
−運転動作−
上記室外ユニット（1）の運転時には、上記圧縮機（51）が起動されることにより、冷媒回路を冷媒が循環する。また、室外ファン（30）が起動されることにより、室外空気が吸込口（11）よりケーシング（10）の内部へ吸い込まれてから室外熱交換器（20）を通過し、さらに吹出口（12）からケーシング（10）の外へ吹き出される。そして、冷房時には室外熱交換器（20）の伝熱管を流れる高温高圧の冷媒が室外空気と熱交換し、冷媒の熱が室外空気へ放熱される。また、暖房時には室外熱交換器（20）の伝熱管を流れる低温低圧の冷媒が室外空気と熱交換し、室外空気の熱が冷媒に吸熱されて該冷媒が蒸発する。
【００３８】
ここで、２本の支柱（36a,36b）の間にモータ取付部（37）を設け、このモータ取付部（37）に室外ファン（30）のファンモータ（31）を取り付ける構成では、一般に、室外ファン（30）の回転時にブレード（34）が矢印Ａで示すように支柱（36a,36b）を横切る際にブレード（34）とファンモータ台（35）との間で圧力変動が生じ、騒音が発生する。
【００３９】
これに対して、本実施形態では、騒音減衰プレート（40）が支柱（36a）と支柱（36b）の間にまたがって配置されているので、室外ファン（30）の回転時に、図１に矢印Ａで示すようにブレード（34）が支柱（36a,36b）を外側から内側へ、あるいは内側から外側へ横切る際に、騒音減衰プレート（40）が空気を円滑に導く作用が生じる。このことにより、本実施形態では、騒音減衰プレート（40）を設けない場合よりも上記圧力変動が生じにくくなり、ファンの回転時の騒音を抑えられる。
【００４０】
例えば、図４は騒音減衰プレート（40）を設けない場合の８０Ｈｚの音の騒音レベルを示すグラフであり、図５は騒音減衰プレート（40）を設けた場合の８０Ｈｚの音の騒音レベルを示すグラフであるが、これらのグラフからわかるように、時間とともに変動する騒音レベルが、騒音減衰プレート（40）を設けない場合には約１８ｄＢでピークになっているに対して、騒音減衰プレート（40）を設けた場合には約１３．５ｄＢでピークになっている。
【００４１】
−実施形態の効果−
本実施形態によれば、騒音減衰プレート（40）を支柱（36a）と支柱（36b）の間にまたがって配置するようにしているので、騒音減衰プレート（40）が風をガイドすることによって空気が円滑に導かれる。よって、騒音減衰プレート（40）を設けない場合と比べて、室外ファン（30）のブレード（34）とファンモータ台（35）との間で圧力変動が生じにくくなり、NZ音のような騒音も小さくなる。特に、８０Ｈｚの音に関して、時間とともに変動する騒音レベルを大幅に抑えることができるとともに、その変動幅も小さくすることができる。
【００４２】
また、本実施形態では、一対の支柱（36a,36b）にまたがる騒音減衰プレート（40）を、プロペラ（32）の回転時に上記ブレード（34）の内周縁と外周縁の間に形成される環状の領域の少なくとも一部に対向するように設けるだけで騒音を抑えることができるから、断面形状が三角形や流線形の整流部材を支柱（36a,36b）の全長にわたって設ける従来の構成に比べて、騒音を抑えるための部材に必要な材料の使用量が少なくて済み、コストを抑えられる効果も得られる。
【００４３】
また、騒音減衰プレート（40）を、ブレード（34）の半径方向長さの５割から６割程度（または３割以上）の長さ寸法を一辺の寸法とする矩形の板材により形成することにより、空気が円滑に流れる作用が生じる領域（騒音減衰プレート（40）の面積に対応した領域）を確保できるようにしているので、確実に騒音低減効果を得ることができる。さらに、本実施形態によれば、通風孔（41）を形成した騒音減衰プレート（40）を用いることにより、騒音を抑えるとともに通風面積が小さくなる（通風抵抗が大きくなる）のも抑えることができる構造を容易に実現できる。
【００４４】
また、本実施形態によれば、騒音減衰プレート（40）を、上記矩形の短辺が上記支柱（36a,36b）の長手方向線分に沿うように配置しているので、ブレード（34）の内周縁と外周縁の間に形成される環状の領域の内部に容易に配置でき、設計の自由度を高められる。
【００４５】
さらに、空気調和装置の室外ユニット（1）において室外ファン（30）を上下に２台並べて配置する場合には、室外ファン（30）の回転数が微妙にずれる場合に騒音（うなり音）が生じやすいが、本実施形態では各室外ファン（30）に対して１枚の騒音減衰プレート（40）を配置しているので、室外ファン（30）ごとに騒音を低減でき、トータルの騒音低減効果を十分に高められる。
【００４６】
以上説明したように、本実施形態によれば、室外熱交換器（20）における静音性と通風抵抗を、簡単な構造で確実にバランスさせることができる。
【００４７】
−実施形態の変形例−
上記実施形態においては、図６，図７に示すように、上記実施形態のモータ取付部（37）に設けられている前面プレート（37a）と、騒音減衰プレート（40）とが一体になった一枚のプレート部材（45）を用いてもよい。図６はこのプレート部材（45）の表面側斜視図、図７は裏面側斜視図である。
【００４８】
このようにすると、室外ファン（30）の回転時に空気が円滑に流れる作用が生じる領域を確保することで騒音を抑える効果をより簡単な構成で実現することができ、部品点数や組み立て工数も削減することができる。
【００４９】
《その他の実施形態》
上記実施形態については、以下のような構成としてもよい。
【００５０】
例えば、上記実施形態では、騒音減衰プレート（40）として複数の通風孔（41）が形成されたものを用いているが、通風孔（41）は必ずしも設けなくてもよい。その場合、通風抵抗は若干大きくなるものの、上記実施形態と同様に十分な騒音低減効果を得ることは可能である。
【００５１】
また、図１の騒音減衰プレート（40）は、室外ファン（30）の中心を挟んで上下に配置してもよい。その場合、２枚の騒音防止プレートの短辺側の寸法Ｌを合計した寸法が、ブレード（34）の半径方向長さ（（外周縁の直径Ｄ１−内周縁の直径Ｄ２）／２）の少なくとも３割以上の長さ寸法になっていればなおよい。
【００５２】
また、上記騒音減衰プレート（40）は、図１では上記短辺が支柱（36a,36b）の長手方向の線分に沿うように、つまり一対の支柱（36a,36b）の外寸と一致するように形成しているが、支柱（36a,36b）の両側または片側に突出する形状にしてもよい。
【００５３】
また、上記実施形態では、２台の室外ファン（30）が支柱（36a,36b）に沿って上下に並設された例を説明したが、ファンの台数は２台に限らず、１台でもよいし、場合によっては３台以上でもよい。
【００５４】
さらに、本発明は、一対の支柱が上下方向にのびる配置になった上記実施形態の横吹き型の室外ユニットのみを対象とするものではなく、上吹き型の室外ユニットであっても適用可能である。
【００５５】
また、上記実施形態では、騒音減衰プレート（40）の全体が、上記プロペラ（32）の回転時に上記ブレード（34）の内周縁と外周縁の間に形成される環状の領域の内側に位置するようにしているが、該騒音減衰プレート（40）は、例えば一部が上記環状の領域の外周端から外に出ていてもよい。
【００５６】
また、上記騒音減衰プレート（40）は、矩形でなくてもよい。
【００５７】
さらに、上記プロペラ（32）は、ハブ（33）が設けられないタイプのものであってもよい。
【００５８】
なお、以上の実施形態は、本質的に好ましい例示であって、本発明、その適用物、あるいはその用途の範囲を制限することを意図するものではない。
【産業上の利用可能性】
【００５９】
以上説明したように、本発明は、空気調和装置の室外ユニットにおいて、室外ファンの回転時の騒音を低減する技術について有用である。
【符号の説明】
【００６０】
1   室外ユニット
10  ケーシング
20  室外熱交換器
30  室外ファン
31  ファンモータ
31a 回転軸
32  プロペラ
34  ブレード
35  ファンモータ台
36a 支柱
36b 支柱
37  モータ取付部
40  騒音減衰プレート
41  通風孔
【図１】
0006390271.tif 000002
【図２】
0006390271.tif 000003
【図３】
0006390271.tif 000004
【図４】
0006390271.tif 000005
【図５】
0006390271.tif 000006
【図６】
0006390271.tif 000007
【図７】
0006390271.tif 000008